(57)【要約】【課題】放送番組を視聴する地域が異なっても、所望の放送番組を容易に選択することができる番組選択装置、番組選択方法、及び番組選択プログラムを提供する。【解決手段】番組選択装置は、第１及び第２放送情報を取得する情報取得部と、情報生成部とを備える。第１放送情報は、放送番組を視聴する視聴地域で放送される放送番組の放送条件を示す。第２放送情報は、所定地域で放送される放送番組の放送条件を示す。情報生成部は、第１放送情報及び第２放送情報に基づいて関連放送情報を生成する。関連放送情報は、視聴地域及び所定地域で放送される放送番組に視聴地域での放送条件と所定地域での放送条件とを関連付ける。【選択図】図２
2015192369.tif 000002
【特許請求の範囲】
【請求項１】
放送番組を視聴する視聴地域で放送される放送番組の放送条件を示す第１放送情報、及び、所定地域で放送される放送番組の放送条件を示す第２放送情報を取得する情報取得部と、
前記第１放送情報及び前記第２放送情報に基づいて、前記視聴地域及び前記所定地域で放送される放送番組に前記視聴地域での放送条件と前記所定地域での放送条件とを関連付ける関連放送情報を生成する情報生成部と、
を備える番組選択装置。
【請求項２】
自機の位置を検出する位置検出部と、
前記位置検出部で検出される前記位置に基づいて、前記視聴地域を設定する地域設定部と、
をさらに備える請求項１に記載の番組選択装置。
【請求項３】
前記視聴地域での放送条件は前記視聴地域での前記放送番組の受信周波数帯域を含み、
前記所定地域での放送条件は前記所定地域で割り当てられる選局番号を含み、
前記関連放送情報は、前記放送番組に、前記視聴地域での前記受信周波数帯域と、前記所定地域で割り当てられる前記選局番号とを関連付ける受信設定情報を含む請求項１または請求項２に記載の番組選択装置。
【請求項４】
前記関連放送情報は、前記視聴地域で放送される放送番組の前記視聴地域での放送条件と、前記視聴地域で放送される放送番組に関連付ける前記所定地域での放送条件とを示す番組表情報を含む請求項１〜請求項３のいずれかに記載の番組選択装置。
【請求項５】
前記関連放送情報は、前記所定地域で放送される放送番組の前記所定地域での放送条件と、前記所定地域で放送される放送番組に関連付ける前記視聴地域での放送条件とを示す番組表情報を含む請求項１〜請求項３のいずれかに記載の番組選択装置。
【請求項６】
前記所定地域で放送される放送番組の前記視聴地域での放送日時を検出する日時検出部をさらに備え、
前記情報生成部は、前記関連放送情報において、前記放送日時が検出された放送番組に前記視聴地域での放送日時をさらに関連付ける請求項５に記載の番組選択装置。
【請求項７】
前記情報生成部は、前記関連放送情報において、前記放送日時が検出されない放送番組の前記所定地域での放送条件に所定情報を関連付ける請求項６に記載の番組選択装置。
【請求項８】
放送番組を視聴する視聴地域で放送される放送番組の放送条件を示す第１放送情報を取得するステップと、
所定地域で放送される放送番組の放送条件を示す第２放送情報を取得するステップと、
前記第１放送情報及び前記第２放送情報に基づいて、前記視聴地域及び前記所定地域で放送される放送番組に前記視聴地域での放送条件と前記所定地域での放送条件とを関連付ける関連放送情報を生成するステップと、
を備える番組選択方法。
【請求項９】
放送番組を視聴する視聴地域で放送される放送番組の放送条件を示す第１放送情報を取得するステップと、
所定地域で放送される放送番組の放送条件を示す第２放送情報を取得するステップと、
前記第１放送情報及び前記第２放送情報に基づいて、前記視聴地域及び前記所定地域で放送される放送番組に前記視聴地域での放送条件と前記所定地域での放送条件とを関連付ける関連放送情報を生成するステップと、
をコンピュータに実行させる番組選択プログラム。
【発明の詳細な説明】
【技術分野】
【０００１】
本発明は、放送番組を選択する装置、方法、及びプログラムに関する。
【背景技術】
【０００２】
テレビジョン装置で受信可能な放送番組の放送条件は地域によって異なる。たとえば、同じ放送番組であっても、その放送局は異なるため、通常は地域によって、放送番組を放送している放送局に割り当てられた選局番号（たとえばリモコン番号）及び物理チャンネルも異なる。さらに、その放送番組を放送する時間帯及び日時が異なることもある。
【０００３】
そのため、引っ越し、旅行などの地域移動をした場合、移動先の地域の放送条件に応じたチャンネルプリセットをテレビジョン装置に設定する必要がある。この場合、放送番組は移動先の地域で割り当てられた選局番号で選択されるが、ユーザが選局番号と放送番組を放送している放送局との対応関係を十分に把握していない場合には、所望の放送番組を容易には選択できず、時間が掛かることがある。
【０００４】
この問題に対して、たとえば特許文献１では、ユーザの放送条件を十分に把握しているなじみの地域でのチャンネルプリセットで放送番組を選択できるようにしている。このチャンネルプリセットでは、放送番組の放送局が属する放送系列に、選局番号と移動先の地域での物理チャンネルとを対応付けている。
【先行技術文献】
【特許文献】
【０００５】
【特許文献１】特開２００７−１２４４３０号公報
【発明の概要】
【発明が解決しようとする課題】
【０００６】
しかしながら、特許文献１では、放送系列に選局番号及び物理チャンネルを対応付けているため、異なる放送系列に属する複数の放送局で同一の放送番組が放送されると、チャンネルプリセットができない。また、ユーザが所望の放送番組の放送系列を把握していない場合には、その放送番組を容易には選択できない。
【０００７】
本発明は、このような状況を鑑みてなされたものであり、放送番組を視聴する地域が異なっても、所望の放送番組を容易に選択することができる番組選択装置、番組選択方法、及び番組選択プログラムを提供することを目的とする。
【課題を解決するための手段】
【０００８】
上記目的を達成するために、本発明の一の態様による番組選択装置は、放送番組を視聴する視聴地域で放送される放送番組の放送条件を示す第１放送情報、及び、所定地域で放送される放送番組の放送条件を示す第２放送情報を取得する情報取得部と、第１放送情報及び第２放送情報に基づいて、視聴地域及び所定地域で放送される放送番組に視聴地域での放送条件と所定地域での放送条件とを関連付ける関連放送情報を生成する情報生成部と、を備える構成（第１の構成）とされる。
【０００９】
上記第１の構成によれば、視聴地域及び所定地域で放送される放送番組に、視聴地域での放送条件と所定地域での放送条件とを関連付ける関連放送情報を生成している。そのため、ユーザは、関連放送情報を用いて、視聴地域の所望の放送番組を所定地域での放送条件に基づいて選択することができる。従って、ユーザは、放送番組を視聴する地域が異なっても、所望の放送番組を容易に選択することができる。
【００１０】
上記第１の構成の番組選択装置において、自機（番組選択装置）の位置を検出する位置検出部と、位置検出部で検出される位置に基づいて、視聴地域を設定する地域設定部と、をさらに備える構成（第２の構成）としてもよい。
【００１１】
この第２の構成によれば、番組選択装置の検出位置に基づいて視聴地域が設定される。そのため、ユーザが視聴地域を手動で入力する必要がない。従って、より簡便に、関連放送情報を生成することができる。
【００１２】
上記第１又は第２の構成の番組選択装置において、視聴地域での放送条件は視聴地域での放送番組の受信周波数帯域を含み、所定地域での放送条件は所定地域で割り当てられる選局番号を含み、関連放送情報は、放送番組に、視聴地域での受信周波数帯域と、所定地域で割り当てられる選局番号とを関連付ける受信設定情報を含む構成（第３の構成）としてもよい。
【００１３】
この第３の構成によれば、ユーザが所定地域の選局番号を選択すると、受信設定情報に基づいて、該選局番号に対応する放送番組の視聴地域での受信周波数帯域（所謂、物理チャンネル）が選択される。従って、ユーザは、放送番組を視聴する地域が異なっても、放送番組の選択を容易に行うことができる。
【００１４】
上記第１〜第３のいずれかの構成の番組選択装置において、関連放送情報は、視聴地域で放送される放送番組の視聴地域での放送条件と、視聴地域で放送される放送番組に関連付ける所定地域での放送条件とを示す番組表情報を含む構成（第４の構成）としてもよい。
【００１５】
この第４の構成によれば、ユーザは、視聴地域で放送される放送番組に関して、視聴地域での放送条件とともに、番組表情報を用いて所定地域での放送条件を知ることができる。従って、ユーザは、番組表情報に基づいて、所望の放送番組を容易に選択することができる。
【００１６】
或いは、上記第１〜第３のいずれかの構成の番組選択装置において、関連放送情報は、所定地域で放送される放送番組の所定地域での放送条件と、所定地域で放送される放送番組に関連付ける視聴地域での放送条件とを示す番組表情報を含む構成（第５の構成）としてもよい。
【００１７】
この第５の構成によれば、ユーザは、所定地域で放送される放送番組に関して、所定地域での放送条件とともに、番組表情報を用いて視聴地域での放送条件を知ることができる。従って、ユーザは、番組表情報に基づいて、所望の放送番組を容易に選択することができる。
【００１８】
また、上記第５の構成の番組選択装置において、所定地域で放送される放送番組の視聴地域での放送日時を検出する日時検出部をさらに備え、情報生成部は、関連放送情報において、放送日時が検出された放送番組に視聴地域での放送日時をさらに関連付ける構成（第６の構成）としてもよい。
【００１９】
この第６の構成によれば、ユーザは、番組表情報を用いて、所定地域で放送される放送番組の視聴地域での放送日時を知ることができる。従って、ユーザは、所定地域とは異なる日時に放送される放送番組の視聴地域での放送日時を把握することができる。
【００２０】
さらに、上記第６の構成の番組選択装置において、情報生成部は、関連放送情報において、放送日時が検出されない放送番組の所定地域での放送条件に所定情報を関連付ける構成（第７の構成）としてもよい。
【００２１】
この第７の構成によれば、所定情報に基づく通知をユーザに行うことができる。たとえば、所定地域では放送されない旨の通知などをユーザに報知することができる。
【００２２】
また、上記目的を達成するために、本発明の一の態様による番組選択方法は、放送番組を視聴する視聴地域で放送される放送番組の放送条件を示す第１放送情報を取得するステップと、所定地域で放送される放送番組の放送条件を示す第２放送情報を取得するステップと、第１放送情報及び第２放送情報に基づいて、視聴地域及び所定地域で放送される放送番組に視聴地域での放送条件と所定地域での放送条件とを関連付ける関連放送情報を生成するステップと、を備える構成（第８の構成）とされる。
【００２３】
上記第８の構成によれば、視聴地域及び所定地域で放送される放送番組に、視聴地域での放送条件と所定地域での放送条件とを関連付ける関連放送情報を生成している。そのため、ユーザは、関連放送情報を用いて、視聴地域の所望の放送番組を所定地域での放送条件に基づいて選択することができる。従って、ユーザは、放送番組を視聴する地域が異なっても、所望の放送番組を容易に選択することができる。
【００２４】
また、上記目的を達成するために、本発明の一の態様による番組選択プログラムは、放送番組を視聴する視聴地域で放送される放送番組の放送条件を示す第１放送情報を取得するステップと、所定地域で放送される放送番組の放送条件を示す第２放送情報を取得するステップと、第１放送情報及び第２放送情報に基づいて、視聴地域及び所定地域で放送される放送番組に視聴地域での放送条件と所定地域での放送条件とを関連付ける関連放送情報を生成するステップと、をコンピュータに実行させる構成（第９の構成）とされる。
【００２５】
上記第９の構成によれば、視聴地域及び所定地域で放送される放送番組に、視聴地域での放送条件と所定地域での放送条件とを関連付ける関連放送情報を生成している。そのため、ユーザは、関連放送情報を用いて、視聴地域の所望の放送番組を所定地域での放送条件に基づいて選択することができる。従って、ユーザは、放送番組を視聴する地域が異なっても、所望の放送番組を容易に選択することができる。
【発明の効果】
【００２６】
本発明によれば、放送番組を視聴する地域が異なっても、所望の放送番組を容易に選択することができる番組選択装置、番組選択方法、及び番組選択プログラムを提供することができる。
【図面の簡単な説明】
【００２７】
【図１】番組選択システムの外観図である。
【図２】番組選択システムの内部構成の一例を示すブロック図である。
【図３】第１実施形態に係る番組選択処理の一例を説明するためのフローチャートである。
【図４】なじみの地域での放送番組表の一例である。
【図５】視聴地域での放送番組表の一例である。
【図６】第１実施形態の第１変形例に係る番組選択処理の一例を説明するためのフローチャートである。
【図７】チャンネルプリセット情報が示す仮想の設定表の一例である。
【図８】第２実施形態に係る番組選択処理の一例を説明するためのフローチャートである。
【図９】編集された視聴地域の番組表情報の一例である。
【図１０】第２実施形態の変形例に係る番組選択処理の一例を説明するためのフローチャートである。
【図１１】第３実施形態に係る番組選択処理の一例を説明するためのフローチャートである。
【図１２】なじみの地域の番組表情報の編集処理の一例を説明するためのフローチャートである。
【図１３】編集されたなじみの地域の番組表情報の一例である。
【図１４】第３実施形態の変形例に係る番組選択処理の一例を説明するためのフローチャートである。
【発明を実施するための形態】
【００２８】
以下に、図面を参照して、本発明の実施形態について、番組選択システムを例に挙げて説明する。
【００２９】
＜第１実施形態＞
図１は、番組選択システムの外観図である。図１において、スマートフォン１は、番組選択装置として機能し、アプリケーションを用いて液晶テレビジョン２で放映する放送番組を選択する。スマートフォン１及び液晶テレビジョン２は、ｂｌｕｅｔｏｏｔｈ（登録商標）の規格に従う無線通信が可能となっている。そのため、スマートフォン１を用いて液晶テレビジョン２を操作したり、スマートフォン１が有する情報を液晶テレビジョン２に送信したりできる。さらに、液晶テレビジョン２が有する情報をスマートフォン１に送信することもできる。なお、この無線通信は、Ｗｉ−Ｆｉ（登録商標）、無線ＬＡＮ（Local Area Network）などの規格に従ってもよい。
【００３０】
スマートフォン１は、液晶テレビジョン２で放映する放送番組を選択するアプリケーションプログラムを有している。以下、このアプリケーションプログラムをリモコンアプリと呼ぶ。このリモコンアプリは、リモコン番号が選択入力されると、受信設定情報を生成し、該受信設定情報を液晶テレビジョン２に送信する。この受信設定情報では、視聴地域で受信可能な放送番組に、視聴地域での物理チャンネルと、所定地域で割り当てられるリモコン番号とが関連付けられて設定されている。そのため、ユーザが所定地域でのリモコン番号を選択すると、液晶テレビジョン２は、受信設定情報に基づいて、該リモコン番号に対応する放送番組の視聴地域での物理チャンネルを選択する。そして、液晶テレビジョン２は、該物理チャンネルで受信した放送番組を放映（映像及び音声を出力）する。従って、ユーザは、放送番組を視聴する地域が異なっても、液晶テレビジョン２で視聴する放送番組の選択を容易に行うことができる。
【００３１】
なお、視聴地域は、スマートフォン１及び液晶テレビジョン２の現在位置を含む地域であり、ユーザが液晶テレビジョン２で放送番組を視聴する地域である。また、所定地域には、通常、ユーザが放送番組の放送条件を十分に把握しているなじみの地域が設定される。そのため、以下では、リモコンアプリに設定される所定地域をなじみの地域と呼ぶ。放送条件は、たとえばリモコン番号、物理チャンネル、放送時間帯、及び放送日などを含み、地域毎に設定されている。リモコン番号は、一般にリモコン装置などで選択入力される選択番号であり、各地域において放送番組を放送している放送局に割り当てられる選局番号である。物理チャンネルは、放送番組の受信周波数帯域を示す受信チャンネル番号である。
【００３２】
次に、番組選択システムを構成するスマートフォン１及び液晶テレビジョン２の具体的な構成を説明する。図２は、番組選択システムの内部構成の一例を示すブロック図である。図２に示すように、スマートフォン１は、タッチパネル１１と、ネットワークＩ／Ｆ１２と、スピーカ１３と、タイマ１４と、無線通信部１５と、ＧＰＳ（Global Positioning System）情報受信部１６と、記憶部１７と、ＣＰＵ１８と、を備えている。このほか、スマートフォン１は、物理的な操作入力部をさらに備えていてもよい。
【００３３】
タッチパネル１１は、ユーザが指又はタッチペンなどで表示画面に触れることにより、タッチ入力を行うことができる表示入力部である。このタッチパネル１１は、ＬＣＤ（liquid Crystal Display）１１ａと、入力検知部１１ｂと、を含んで構成されている。ＬＣＤ１１ａは、ＣＰＵ１８から出力される制御信号及び映像信号などに基づく表示を行う表示部である。入力検知部１１ｂは、タッチパネル１１の表示画面に触れた物体の挙動に基づくユーザ入力を検知する入力インターフェースである。以下、入力検知部１１ｂが検知するユーザ入力をタッチ入力と呼ぶ。
【００３４】
ネットワークＩ／Ｆ１２は、スマートフォン１をインターネットなどのネットワークＮＴに接続する物理インターフェースである。ネットワークＩ／Ｆ１２は、例えば有線ＬＡＮ、無線ＬＡＮなどに接続可能となっている。
【００３５】
スピーカ１３は、音声信号に基づく音声出力を行う音声出力部である。
【００３６】
タイマ１４は、現在時刻、及び所定の時間からの経過時間などを経時する計時部である。なお、タイマ１４は、図２ではＣＰＵ１８とは別の構成要素となっているが、ＣＰＵ１８の機能的要素の一部であってもよい。
【００３７】
無線通信部１５は、外部機器と無線通信を行い、たとえば液晶テレビジョン２とＢｌｕｅｔｏｏｔｈ規格に従う無線通信を行う。
【００３８】
ＧＰＳ情報受信部１６は、ＧＰＳ情報を受信する位置信号受信部である。
【００３９】
記憶部１７は、ＲＡＭ（Random Access Memory）１７ａと、フラッシュメモリ１７ｂと、を含んで構成される。ＲＡＭ１７ａは、揮発性の記憶媒体であり、たとえばＣＰＵ１８のワークメモリとして用いられ、ＣＰＵ１８によって各種情報処理が行われる際の処理データが一時的に記憶される。フラッシュメモリ１７ｂは、電源が供給されていなくてもデータが非一時的に記憶される不揮発性の記憶媒体である。フラッシュメモリ１７ｂは、スマートフォン１の各構成要素（特にＣＰＵ１８）で用いられる各種情報及びプログラム、リモコンアプリを含む各種アプリケーションプログラム及びその関連データなどを格納する。
【００４０】
ＣＰＵ１８は、フラッシュメモリ１７ｂに格納されている情報及びプログラムを用いて、スマートフォン１の各構成要素を統括的に制御する制御部である。ＣＰＵ１８は、機能的要素として、位置検出部１８１と、地域設定部１８２と、情報取得部１８３と、情報生成部１８４と、日時検出部１８５と、表示制御部１８６と、を有する。
【００４１】
位置検出部１８１は、ＧＰＳ情報に基づいてスマートフォン１の現在位置を検出し、該現在位置を示す位置情報を生成する。
【００４２】
地域設定部１８２は、ユーザ入力される位置、又は位置情報が示す位置に基づいて、該位置で受信可能な放送番組の放送条件に応じた地域（たとえば、視聴地域、なじみの地域など）を設定する。
【００４３】
情報取得部１８３は、地域設定部１８２にて設定される地域で放送される放送番組の放送条件を示す放送情報を取得する。放送情報は、たとえば、放送波に含まれるＥＰＧ（Electronic Program Guide）番組表情報であってもよいし、ネットワークＮＴを介して取得される番組表情報であってもよい
【００４４】
情報生成部１８４は、情報取得部１８３で取得される放送情報に基づいて、地域設定部１８２により設定される地域で放送される放送番組に該地域での放送条件を関連付ける関連放送情報を生成する。たとえば、情報生成部１８４は、視聴地域の番組表情報（第１放送情報）、及び、なじみの地域の番組表情報（第２放送情報）に基づいて、視聴地域及び所定地域で放送される放送番組に視聴地域での放送条件となじみの地域での放送条件とを関連付ける関連放送情報を生成する。すなわち、情報生成部１８４は、視聴地域及びなじみの地域で放送される放送番組に、視聴地域での放送条件となじみの地域での放送条件とを関連付ける関連放送情報を生成している。そのため、ユーザは、関連放送情報を用いて、視聴地域の所望の放送番組を所定地域での放送条件に基づいて選択することができる。従って、ユーザは、放送番組を視聴する地域が異なっても、所望の放送番組を容易に選択することができる。
【００４５】
日時検出部１８５は、情報取得部１８３が取得する放送情報（視聴地域及びなじみの地域の番組表情報など）に基づいて、放送番組の放送日時を検出する。
【００４６】
表示制御部１８６はＬＣＤ１１ａの動作を制御する。
【００４７】
次に、液晶テレビジョン２の内部構成について説明する。図２に示すように、液晶テレビジョン２は、放送受信部２１と、信号処理部２２と、ＯＳＤ処理部２３と、表示部２４と、ＨＤＭＩ（登録商標）通信部２５と、ネットワークＩ／Ｆ２６と、スピーカ２７と、操作入力部２８と、リモコン受信部２９と、無線通信部３０と、記憶部３１と、ＣＰＵ３２と、を備えている。
【００４８】
放送受信部２１は、外部のアンテナ（不図示）からデジタル放送信号を受信し、ＴＳを生成する。信号処理部２２は、生成されたＴＳに対して各種処理を行い、映像音声のデジタル信号を生成する。生成された映像のデジタル信号は表示部２４に送られ、表示部２４に放送映像が表示される。また、生成された音声のデジタル信号はスピーカ２７に送られ、スピーカ２７から放送音声が出力される。信号処理部２２により生成された映像信号は、ＯＳＤ処理部２３によりＯＳＤ画像が重畳され、重畳後の映像信号が表示部２４に送られる場合もある。また、重畳を行わずに、ＯＳＤ処理部２３からＯＳＤ画像が表示部２４に送られる場合もある。
【００４９】
ＨＤＭＩ通信部２５は、ＨＤＭＩケーブルを介して接続される外部機器とＨＤＭＩ規格に準じた通信を行う。ＨＤＭＩでは、一本のケーブルで映像、音声、及び制御信号の送受信を行うことができる。制御信号のやり取りについては、ＨＤＭＩにおいてＣＥＣ（Consumer Electronics Control）として定義されている。
【００５０】
ネットワークＩ／Ｆ２６は、液晶テレビジョン２をインターネットなどのネットワークＮＴに接続させるための物理インターフェースである。ネットワークＩ／Ｆ２６は、例えば有線ＬＡＮ、無線ＬＡＮなどに接続可能となっている。
【００５１】
スピーカ２７は、音声信号に基づく音声出力を行う音声出力部である。
【００５２】
操作入力部２８は、液晶テレビジョン２に対するユーザの操作入力を受け付け、該操作入力に基づく操作入力信号をＣＰＵ３２に出力する。操作入力部２８は、液晶テレビジョン２の筐体に備えられる各種ボタン（不図示）などを含んで構成される。
【００５３】
リモコン受信部２９は、リモートコントローラ（不図示）から出力される赤外線信号を受信し、赤外線信号に基づく入力信号をＣＰＵ３２に出力する。なお、リモートコントローラは、ユーザ入力を受け付ける外部入力ユニットである。
【００５４】
無線通信部３０は、外部機器と無線通信を行い、たとえばスマートフォン１とＢｌｕｅｔｏｏｔｈ規格に従う無線通信を行う。
【００５５】
記憶部３１は、ＲＡＭ３１Ａと、フラッシュメモリ３１ｂと、を含んで構成される。ＲＡＭ３１Ａは、揮発性の記憶媒体であり、たとえばＣＰＵ３２のワークメモリとして用いられ、ＣＰＵ３２によって各種情報処理が行われる際の処理データが一時的に記憶される。フラッシュメモリ３１ｂは、電源が供給されていなくてもデータが非一時的に記憶される不揮発性の記憶媒体である。フラッシュメモリ３１ｂは、液晶テレビジョン２の各構成要素（特にＣＰＵ３２）で用いられる各種情報及びプログラムなどを格納する。
【００５６】
ＣＰＵ３２は、フラッシュメモリ３１ｂに格納されている情報及びプログラムを用いて、液晶テレビジョン２の各構成要素を統括的に制御する制御部である。
【００５７】
次に、リモコンアプリを用いた番組選択処理の手順を説明する。図３は、第１実施形態に係る番組選択処理の一例を説明するためのフローチャートである。
【００５８】
まず、スマートフォン１にてリモコンアプリが起動され（Ｓ１０１）、なじみの地域のユーザ入力を促す通知（たとえばＯＳＤ画面の表示）が行われる。
【００５９】
なじみの地域が入力されると（Ｓ１０２でＹＥＳ）、視聴地域のユーザ入力を促す通知（たとえばＯＳＤ画面の表示）が行われる。
【００６０】
視聴地域が入力されると（Ｓ１０３でＹＥＳ）、表示制御部１８６は、液晶テレビジョン２で受信及び放映する放送番組を選択するためのＯＳＤ画面をタッチパネル１１に表示する（Ｓ１０４）。なお、このＯＳＤ画面は、リモコン番号を直接選択入力できる番号キー、リモコン番号を順に切り換えて選択できるチャンネルアップダウン操作キーなどのソフトウェアキー表示であってよい。或いは、ユーザは、ＯＳＤ画面を見て、物理的な操作キー（不図示）でリモコン番号を選択してもよい。
【００６１】
リモコン番号が入力されると（Ｓ１０４でＹＥＳ）、情報取得部１８３が視聴地域及びなじみの地域の番組表情報を取得して比較する（Ｓ１０５）。なお、これらの番組表情報は、ネットワークＮＴからスマートフォン１に直接取得されてもよいし、液晶テレビジョン２からスマートフォン１に無線通信によって取得されてもよい。或いは、なじみの地域の番組表情報は、予め取得されてフラッシュメモリ１７ｂに格納されていてもよい。
【００６２】
そして、情報生成部１８４は、Ｓ１０４で選択されたリモコン番号に応じた受信設定情報の生成を開始する。まず、情報生成部１８４は、なじみの地域の番組表情報を参照し、該リモコン番号が割り当てられた放送番組の現在時刻での放送の有無を判定する（Ｓ１０６）。なお、なじみの地域で現在時刻に放送番組が無ければ（Ｓ１０６でＮＯ）、処理はＳ１３０に進む。
【００６３】
なじみの地域で現在時刻に放送番組が有れば（Ｓ１０６でＹＥＳ）、情報生成部１８４は、視聴地域の番組表情報を参照し、同一の放送番組の現在時刻での放送の有無を判定する（Ｓ１０７）。視聴地域で現在時刻に同一の放送番組が有れば（Ｓ１０７でＹＥＳ）、情報生成部１８４は、該放送番組に、なじみの地域で割り当てられるリモコン番号と、視聴地域で割り当てられる物理チャンネルとを関連付ける受信設定情報を生成する（Ｓ１０８）。そして、情報生成部１８４は、Ｓ１０４で選択されたリモコン番号を示す制御情報とともに、受信設定情報を液晶テレビジョン２に送信する（Ｓ１０９）。なお液晶テレビジョン２では、これらの情報に基づいて、該放送番組が受信されて放映される。そして、処理はＳ１４０に進む。
【００６４】
一方、視聴地域で現在時刻に同一の放送番組が無ければ（Ｓ１０７でＮＯ）、情報生成部１８４は、視聴地域にて、同一の放送番組がなじみの地域と異なる日時に放送されるか否かを判定する（Ｓ１１０）。他の日時に放送されていれば（Ｓ１１０でＹＥＳ）、表示制御部１８６は、その放送日時などの視聴地域での放送条件を通知する情報をＬＣＤ１１ａに表示させる（Ｓ１１１）。一方、他の日時にも放送されなければ（Ｓ１１０でＮＯ）、表示制御部１８６は、視聴地域では放送されない旨の通知画面をＬＣＤ１１ａに表示させる（Ｓ１１２）。この際、その旨を通知する音声がスピーカ１３から出力されてもよい。なお、Ｓ１１１及びＳ１１２の場合、液晶テレビジョン２は、該放送番組が放映できないため、たとえばグレーアウト表示をする。或いは、液晶テレビジョン２が上記通知を行ってもよい。そして、処理はＳ１４０に進む。
【００６５】
次に、Ｓ１３０では、視聴地域にて、情報生成部１８４は、なじみの地域とは異なる放送番組が現在時刻に放送されているか否かを判定する。
【００６６】
視聴地域で異なる放送番組が放送されていれば（Ｓ１３０でＹＥＳ）、表示制御部１８６は、なじみの地域では放送番組が放送されていない旨の通知画面をＬＣＤ１１ａに表示させる（Ｓ１３１）。この際、その旨を通知する音声が出力されてもよい。そして、情報生成部１８４は、なじみの地域とは異なる放送番組に、視聴地域で割り当てられるリモコン番号及び物理チャンネルを関連付ける受信設定情報を生成する（Ｓ１３２）。そして、情報生成部１８４は、Ｓ１０４で選択されたリモコン番号を示す制御情報とともに、受信設定情報を液晶テレビジョン２に送信する（Ｓ１３３）。液晶テレビジョン２では、これらの情報に基づいて、該放送番組が受信されて放映される。そして、処理はＳ１４０に進む。
【００６７】
一方、視聴地域でも現在時刻に放送番組が無ければ（Ｓ１３０でＮＯ）、表示制御部１８６は、受信できる放送番組がない旨の通知画面をＬＣＤ１１ａに表示させる（Ｓ１３４）。この際、その旨を通知する音声が出力されてもよい。なお、この場合、液晶テレビジョン２は、該放送番組が放映できないため、たとえばグレーアウト表示をする。或いは、液晶テレビジョン２が上記通知を行ってもよい。そして、処理はＳ１４０に進む。
【００６８】
次に、Ｓ１４０では、リモコンアプリの番組選択処理を継続するか否かが判定される。この判定は、たとえば、番組選択処理を継続又は終了を選択する選択表示に対するユーザ入力で決定される。継続が決定すると（Ｓ１４０でＹＥＳ）、処理はＳ１０４に戻る。
【００６９】
一方、終了が決定すると（Ｓ１４０でＮＯ）、番組選択処理及びリモコンアプリは終了する。なお、以上の番組選択処理は、所定のユーザ入力により、任意のタイミングで修了してもよい。或いは、Ｓ１４０にて、処理がＳ１０４に戻ることなく終了してもよい。
【００７０】
次に、受信設定情報の生成例について説明する。図４は、なじみの地域での番組表情報の一例であり、なじみの地域で放送される放送番組の放送条件を示す放送番組表を示している。図５は、視聴地域での番組表情報の一例であり、視聴地域で放送される放送番組の放送条件を示す放送番組表を示している。図４及び図５に示すように、地域によって放送番組は異なる。また、同じ放送番組であっても、放送地域によって放送条件が異なる。たとえば、なじみの地域では、放送時間帯「１９：００〜２０：００」内の時点でリモコン番号「１」が選択入力されると、「ニュースＡ」が物理チャンネル「１」で受信される。一方、視聴地域では、「ニュースＡ」は、リモコン番号「２」が選択入力されると、物理チャンネル「５」で受信される。また、なじみの地域では、放送時間帯「１９：００〜２０：００」内の時点でリモコン番号「４」が選択入力されると、「今日の料理Ｂ」が物理チャンネル「４」で受信される。一方、視聴地域では、「今日の料理Ｂ」は放送されていない。また、「ローカル番組」は、なじみの地域では放送されないが、視聴地域では、放送時間帯「２１：００〜２２：００」内の時点でリモコン番号「７」が選択入力されると物理チャンネル「１５」で受信される。
【００７１】
スマートフォン１のリモコンアプリは、たとえば、放送時間帯「１９：００〜２０：００」内の時点でリモコン番号「１」が選択入力されると、受信設定情報を生成する。受信設定情報では、図４及び図５の番組表情報を参照して、放送番組「ニュースＡ」に、なじみの地域でのリモコン番号「１」と視聴地域での物理チャンネル「５」とが関連付けられる。そして、リモコンアプリは、リモコン番号「１」を示す制御情報とともに、受信設定情報を液晶テレビジョン２に送信させる。液晶テレビジョン２は、これらの情報に基づいて、「ニュースＡ」を放映する。
【００７２】
なお、リモコンアプリは、なじみの地域で放送されないが視聴地域で放送される放送番組には、視聴地域の放送条件をそのまま関連付ける。すなわち、「ローカル番組」には、視聴地域での放送局（Ｊ  ＴＶ）、リモコン番号「７」、物理チャンネル「１５」、及び放送時間帯「２１：００〜２２：００」などが関連付けられる。
【００７３】
＜第１実施形態の第１変形例＞
図３の番組選択処理では、視聴地域が手動のユーザ入力で設定されているが、ＧＰＳ情報などを用いて設定されてもよい。以下に、第１実施形態の第１変形例を示す。図６は、第１実施形態の第１変形例に係る番組選択処理の一例を説明するためのフローチャートである。なお、図６において、図３と同じ処理は同じ符号で示している。
【００７４】
まず、スマートフォン１にてリモコンアプリが起動される（Ｓ１０１）。なじみの地域が入力されると（Ｓ１０２でＹＥＳ）、ＧＰＳ情報受信部１６がＧＰＳ情報を受信する（Ｓ１０３ａ）。位置検出部１８１が該ＧＰＳ情報に基づいてスマートフォン１の現在位置を検出し、地域設定部１８２が該現在位置を含む地域を視聴地域として設定する（Ｓ１０３ｂ）。そして、処理はＳ１０４に進む。なお、以降の処理は図３と同じであるため、その説明は省略する。
【００７５】
この第１変形例によれば、スマートフォン１の検出位置に基づいて視聴地域が設定される。そのため、ユーザが視聴地域を手動で入力する必要がない。従って、より簡便に、受信設定情報を含む関連放送情報を生成することができる。
【００７６】
＜第１実施形態の第２変形例＞
図３及び図６の番組選択処理では、ユーザ入力によりリモコン番号が選択される度に受信設定情報を作成しているが、視聴地域の全ての放送番組に対するチャンネルプリセット情報を作成してもよい。図７は、チャンネルプリセット情報が示す仮想の設定表の一例である。図７に示すような内容のチャンネルプリセット情報を液晶テレビジョン２に送信して格納しておけば、スマートフォン１のリモコンアプリで放送番組を選択できるだけでなく、他の入力ユニットでも放送番組を選択して放映させることができる。たとえば、不図示のリモコン装置、操作入力部２８などでも放送番組を選択することができる。
【００７７】
＜第２実施形態＞
次に、第２実施形態について説明する。第２実施形態では、スマートフォン１のリモコンアプリは、視聴地域の番組表情報を編集し、なじみの地域でも放送されている放送番組の番組表示欄になじみの地域での放送条件をさらに表示する。また、ユーザがスマートフォン１に表示された放送番組の番組表示欄をタッチ入力することにより、該番組表示欄に対応する放送番組が液晶テレビジョン２に表示される。以下では、第１実施形態と異なる構成について説明する。また、第１実施形態と同様の構成部には同じ符号を付し、その説明を省略することがある。
【００７８】
図８は、第２実施形態に係る番組選択処理の一例を説明するためのフローチャートである。まず、スマートフォン１にてリモコンアプリが起動され（Ｓ２０１）、なじみの地域のユーザ入力を促す報知（たとえばＯＳＤ表示）が行われる。
【００７９】
なじみの地域が入力されると（Ｓ２０２でＹＥＳ）、視聴地域のユーザ入力を促す通知（たとえばＯＳＤ表示）が行われる。なお、なじみの地域は予め設定されていてもよい。その場合、Ｓ２０２は省略される。
【００８０】
視聴地域が入力されると（Ｓ２０３でＹＥＳ）、情報取得部１８３が視聴地域及びなじみの地域の番組表情報を取得して比較する（Ｓ２０４）。なお、これらの番組表情報は、ネットワークＮＴからスマートフォン１に直接に取得されてもよいし、液晶テレビジョン２から無線通信によって取得してもよい。また、なじみの地域の番組表情報は、予めフラッシュメモリ１７ｂなどに格納されていてもよい。
【００８１】
そして、情報生成部１８４は、視聴地域の番組表情報を放送番組毎に編集する（Ｓ２０５）。表示制御部１８６は、編集された視聴地域の番組表情報をＬＣＤ１１ａに表示する（Ｓ２０６）。図９は、編集された視聴地域の番組表情報の一例である。なお、図９では、図５に示す視聴地域の放送条件が、図４に示すなじみの地域の放送条件と関連付けられて表示されている。図９に示すように、視聴地域の番組表情報は、視聴地域で放送される放送番組の視聴地域での放送条件と、視聴地域で放送される放送番組に関連付ける所定地域での放送条件とを示す。たとえば、なじみの地域でも放送されている放送番組「ニュースＡ」の番組表示欄には、なじみの地域での放送局（或いは放送系列）「Ａ  ＴＶ」、リモコン番号「１」、及び物理チャンネル「１」が表示される。このほか、放送日時が異なる場合には、なじみの地域での放送日時がさらに表示されてもよい。こうすれば、ユーザは、視聴地域で放送される放送番組に関して、視聴地域での放送条件とともに、番組表情報を用いてなじみの地域での放送条件を知ることができる。従って、ユーザは、番組表情報に基づいて、所望の放送番組を容易に選択することができる。
【００８２】
次に、ＬＣＤ１１ａに表示された番組表の番組表示欄がタッチ入力されると（Ｓ２０７）、該番組表示欄に対応する放送番組の視聴地域における物理チャンネルを示す制御情報が液晶テレビジョン２に送信される（Ｓ２０８）。液晶テレビジョン２では、この制御情報に基づいて、該放送番組が受信されて放映される。
【００８３】
次に、リモコンアプリの番組選択処理を継続するか否かが判定される（Ｓ２０９）。この判定は、たとえば、番組選択処理を継続又は終了を選択する選択表示に対するユーザ入力で決定される。継続が決定すると（Ｓ２０９でＹＥＳ）、処理はＳ２０７に戻る。一方、終了が決定すると（Ｓ２０９でＮＯ）、図８の番組選択処理及びリモコンアプリは終了する。
【００８４】
なお、以上の番組選択処理は、所定のユーザ入力により、任意のタイミングで終了してもよい。或いは、Ｓ２０９にて、処理がＳ２０７に戻ることなく終了してもよい。
【００８５】
また、Ｓ２０８では、第１実施形態と同様に、該番組表示欄に対応する放送番組に、なじみの地域で割り当てられるリモコン番号と、視聴地域で割り当てられる物理チャンネルとを関連付ける受信設定情報が生成されてもよい。この場合、受信設定情報が、Ｓ２０７でタッチ入力された放送番組を示す情報とともに、液晶テレビジョン２に送信される。
【００８６】
＜第２実施形態の変形例＞
図８の番組選択処理では、視聴地域が手動のユーザ入力で設定されているが、ＧＰＳ情報などを用いて設定されてもよい。以下に、第２実施形態の変形例を示す。図１０は、第２実施形態の変形例に係る番組選択処理の一例を説明するためのフローチャートである。なお、図１０において、図８と同じ処理は同じ符号で示している。
【００８７】
まず、スマートフォン１にてリモコンアプリが起動される（Ｓ２０１）。なじみの地域が入力されると（Ｓ２０２でＹＥＳ）、ＧＰＳ情報受信部１６がＧＰＳ情報を受信する（Ｓ２０３ａ）。位置検出部１８１が該ＧＰＳ情報に基づいてスマートフォン１の現在位置を検出し、地域設定部１８２が該現在位置を含む地域を視聴地域として設定する（Ｓ２０３ｂ）。そして、処理はＳ２０４に進む。なお、以降の処理は図３と同じであるため、その説明は省略する。
【００８８】
この変形例によれば、スマートフォン１の検出位置に基づいて視聴地域が設定される。そのため、ユーザが視聴地域を手動で入力する必要がない。従って、より簡便に、視聴地域の編集された番組表情報を含む関連放送情報を生成することができる。
【００８９】
＜第３実施形態＞
次に、第３実施形態について説明する。第３実施形態では、スマートフォン１のリモコンアプリは、なじみの地域の番組表情報を編集し、視聴地域でも放送されている放送番組の番組表示欄に視聴地域での放送条件をさらに表示する。また、ユーザがスマートフォン１に表示された放送番組の番組表示欄をタッチ入力することにより、該番組表示欄に対応する放送番組が液晶テレビジョン２に表示される。以下では、第１及び第２実施形態と異なる構成について説明する。また、第１及び第２実施形態と同様の構成部には同じ符号を付し、その説明を省略することがある。
【００９０】
図１１は、第３実施形態に係る番組選択処理の一例を説明するためのフローチャートである。まず、スマートフォン１にてリモコンアプリが起動され（Ｓ３０１）、なじみの地域のユーザ入力を促す報知（たとえばＯＳＤ表示）が行われる。
【００９１】
なじみの地域が入力されると（Ｓ３０２でＹＥＳ）、視聴地域のユーザ入力を促す通知（たとえばＯＳＤ表示）が行われる。なお、なじみの地域は予め設定されていてもよい。その場合、Ｓ３０２は省略される。
【００９２】
視聴地域が入力されると（Ｓ３０３でＹＥＳ）、情報取得部１８３が視聴地域及びなじみの地域の番組表情報を取得して比較する（Ｓ３０４）。なお、これらの番組表情報は、ネットワークＮＴからスマートフォン１に直接に取得されてもよいし、液晶テレビジョン２から無線通信によって取得してもよい。また、なじみの地域の番組表情報は、予めフラッシュメモリ１７ｂなどに格納されていてもよい。
【００９３】
そして、情報生成部１８４は、なじみの地域の番組表情報を放送番組毎に編集する（Ｓ３０５）。なお、この編集処理については、後に詳述する。表示制御部１８６は、編集したなじみの地域の番組表情報（後述の図１３参照）をＬＣＤ１１ａに表示する（Ｓ３０６）。
【００９４】
次に、ＬＣＤ１１ａに表示された番組表の番組表示欄がタッチ入力されると（Ｓ３０７）、該番組表示欄に対応する放送番組の視聴地域における物理チャンネルを示す制御情報が液晶テレビジョン２に送信される（Ｓ３０８）。液晶テレビジョン２では、この制御情報に基づいて、該放送番組が受信されて放映される。なお、後述するように、タッチされた放送番組に視聴地域における物理チャンネルが関連付けられていない場合には、制御情報は送信されない。或いは、対応する物理チャンネルが無い旨の通知を送信する。この場合、液晶テレビジョン２は、グレーアウト表示したり、上記通知に基づく報知動作（所定画面表示、所定音声出力など）を行ったりする。
【００９５】
次に、リモコンアプリの番組選択処理を継続するか否かが判定される（Ｓ３０９）。この判定は、たとえば、番組選択処理を継続又は終了を選択する選択表示に対するユーザ入力で決定される。継続が決定すると（Ｓ３０９でＹＥＳ）、処理はＳ３０７に戻る。一方、終了が決定すると（Ｓ３０９でＮＯ）、図１１の番組選択処理及びリモコンアプリは終了する。
【００９６】
なお、以上の番組選択処理は、所定のユーザ入力により、任意のタイミングで修了してもよい。或いは、Ｓ３０９にて、処理がＳ３０７に戻ることなく終了してもよい。
【００９７】
また、Ｓ３０８では、第１実施形態と同様に、該番組表示欄に対応する放送番組に、なじみの地域で割り当てられるリモコン番号と、視聴地域で割り当てられる物理チャンネルとを関連付ける受信設定情報が生成されてもよい。この場合、受信設定情報が、Ｓ３０７でタッチ入力された放送番組を示す情報とともに、液晶テレビジョン２に送信される。
【００９８】
次に、なじみの地域の番組表情報の編集処理について説明する。図１２は、なじみの地域の番組表情報の編集処理の一例を説明するためのフローチャートである。まず、情報生成部１８４は、なじみの地域の番組表情報を参照し、現在時刻においてなじみの地域で放送番組が放送されているか否かを判定する（Ｓ３５０）。なお、なじみの地域で現在時刻に放送番組が無ければ（Ｓ３５０でＮＯ）、処理はＳ３６０に進む。
【００９９】
なじみの地域で現在時刻に放送番組が有れば（Ｓ３５０でＹＥＳ）、情報生成部１８４は、視聴地域の番組表情報を参照し、現在時刻において視聴地域で同一の放送番組が放送されているか否かを判定する（Ｓ３５１）。視聴地域で現在時刻に同一の放送番組が有れば（Ｓ３５１でＹＥＳ）、情報生成部１８４は、その放送番組の番組表示欄の背景色を第１色（たとえば白）に設定する（Ｓ３５２）。そして、情報生成部１８４は、該放送番組に、なじみの地域で割り当てられるリモコン番号と、視聴地域で割り当てられる物理チャンネルとを関連付ける受信設定情報を生成する（Ｓ３５３）。そして、処理はＳ３７０に進む。
【０１００】
一方、視聴地域で現在時刻に同一の放送番組が無ければ（Ｓ３５１でＮＯ）、情報生成部１８４は、視聴地域にて、同一の放送番組がなじみの地域とは異なる日時に放送されるか否かが判定される（Ｓ３５４）。異なる日時に放送される場合（Ｓ３５４でＹＥＳ）、情報生成部１８４は、視聴地域の放送条件をその放送番組に関連付けて設定する（Ｓ３５５）。この設定により、番組表示欄には、視聴地域の放送条件を表示することができる。また、情報生成部１８４は、該放送番組の番組表示欄の背景色を第２色（たとえば緑）に設定する（Ｓ３５６）。そして、処理はＳ３７０に進む。
【０１０１】
また、異なる日時にも放送されなければ（Ｓ３５５でＮＯ）、情報生成部１８４は、視聴地域では放送されない旨の通知を示す所定情報を該放送番組に関連付けて設定する（Ｓ３５７）。この設定により、番組表示欄には該通知が表示される。また、情報生成部１８４は、該放送番組の番組表示欄の背景色を第３色（たとえば赤）に設定する（Ｓ３５８）。そして、処理はＳ３７０に進む。
【０１０２】
次に、Ｓ３６０では、情報生成部１８４は、現在時刻において視聴地域で放送番組が放送されているか否かを判定する。なお、視聴地域でも現在時刻に放送番組がなければ（Ｓ３６０でＮＯ）、なじみの地域の番組表情報を編集する必要はない。そのため、処理はＳ３７１に進む。
【０１０３】
一方、視聴地域で現在時刻に放送番組が有れば（Ｓ３６０でＹＥＳ）、情報生成部１８４は、視聴地域での放送条件に基づいて、なじみの地域の番組表情報に該放送番組の番組表示欄を新設する（Ｓ３６１）。さらに、情報生成部１８４は、視聴地域の放送条件をその放送番組に関連付けて設定する（Ｓ３６２）。これらの処理により、新設の番組表示欄に、なじみの地域では放送されない視聴地域の放送番組を表示することができる。なお、この番組表示欄では、放送番組名などが簡易的に表示されてもよいし、視聴地域での詳細な放送条件が表示されてもよい。
【０１０４】
また、情報生成部１８４は、該放送番組の番組表示欄の背景色を第４色（たとえば橙）に設定する（Ｓ３６３）。情報生成部１８４は、該放送番組に、視聴地域で割り当てられるリモコン番号及び物理チャンネルを関連付ける受信設定情報を生成する（Ｓ３６４）。そして、処理はＳ３７０に進む。
【０１０５】
Ｓ３７０では、情報生成部１８４が該放送番組の番組表示欄を編集する。そして、情報生成部１８４は、番組表情報の編集が完了したか否かを判定する（Ｓ３７１）。編集が完了していない場合（Ｓ３７１でＮＯ）、次の放送番組の番組表示欄を編集すべく、処理はＳ３５０に戻る。一方、編集が完了している場合（Ｓ３７１でＹＥＳ）、情報生成部１８４は番組表情報の編集処理を終了する。
【０１０６】
次に、編集されたなじみの地域の番組表情報の表示例について説明する。図１３は、編集されたなじみの番組表情報の一例である。なお、図１３では、図４に示すなじみの放送条件が、図５に示す視聴地域の放送条件に関連付けられて表示されている。
【０１０７】
図１３に示すように、なじみの地域の番組表情報は、なじみの地域で放送される放送番組の視聴地域での放送条件と、なじみの地域で放送される放送番組に関連付ける視聴地域での放送条件とを示す。こうすれば、ユーザは、なじみの所定地域で放送される放送番組に関して、なじみの地域での放送条件とともに、番組表情報を用いて視聴地域での放送条件を知ることができる。従って、ユーザは、番組表情報に基づいて、所望の放送番組を容易に選択することができる。
【０１０８】
たとえば、視聴地域でも放送されている放送番組「ニュースＡ」の番組表示欄では、その背景色が第１色で表示される。なお、この番組表示欄にて視聴地域での放送条件は、図１３では表示されていないが、表示させてもよい。また、放送番組「ニュースＡ」には、対応する受信設定情報が作成されている。そのため、ユーザがこの番組表示欄をタップ入力すると、該受信設定情報を液晶テレビジョン２に送信させて、液晶テレビジョン２にて放送番組「ニュースＡ」を受信及び放映させることができる。
【０１０９】
また、視聴地域では別の日時に放送される放送番組「ドラマ」の番組表示欄では、その背景色が第２色で表示され、視聴地域での放送条件に基づく放送予定が表示される。たとえば、図１３では、視聴地域での放送予定日「平成２６年５月５日」、放送時間帯「０１：００〜０２：００」、放送局（或いは放送系列）「Ｊ  ＴＶ」、リモコン番号「７」、及び物理チャンネル「１５」が表示される。この番組表示欄では、放送日時が検出された放送番組に視聴地域での放送日時がさらに関連付けられている。こうすれば、ユーザは、なじみの地域で放送される放送番組の視聴地域での放送日時を知ることができる。従って、ユーザは、番組表情報を用いて、なじみの地域とは異なる日時に放送される放送番組の視聴地域での放送日時を把握することができる。
【０１１０】
また、視聴地域では放送されない放送番組「今日の料理Ｂ」の番組表示欄では、その背景色が第３色で表示され、「放送されていません」などの通知が表示される。この番組表示欄では、放送日時が検出されない放送番組の所定地域での放送条件に上記通知を示す所定情報が関連付けられている。こうすれば、所定情報に基づく通知をユーザに行うことができる。たとえば、なじみの地域では放送されない旨の通知などをユーザに報知することができる。
【０１１１】
なお、これらの放送番組（「今日の料理Ｂ」、「ドラマ」など）は現時点で視聴地域では放送されていないため、対応する受信設定情報は作成されない。そのため、ユーザがこの番組表示欄をタップ入力しても、液晶テレビジョン２は、グレーアウト表示、又は、番組表示欄と同じ通知或いは放送予定の表示を行う。
【０１１２】
また、放送番組「ローカル番組」は、なじみの地域では放送されていないが視聴地域では放送されている放送番組であるため、新設の番組表示欄に表示されている。この番組表示欄では、その背景色が第４色で表示され、視聴地域での放映条件が表示される。
【０１１３】
なお、各番組表示欄の背景に色づけされる第１〜第４色はそれぞれ異なる色であり、それらの設定色は特に限定されない。なお、第１〜第４色の色付けに代えて、それぞれ異なる背景パターンが表示されてもよい。或いは、番組表示欄の背景の変化に代えて、表示枠の色などを変化させてもよい。
【０１１４】
＜第３実施形態の変形例＞
図１１の番組選択処理では、視聴地域は、手動のユーザ入力で設定されているが、ＧＰＳ情報などを用いて設定されてもよい。以下に、第３実施形態の変形例を示す。図１４は、第３実施形態の変形例に係る番組選択処理の一例を説明するためのフローチャートである。なお、図１４において、図１１と同じ処理は同じ符号で示している。
【０１１５】
まず、スマートフォン１にてリモコンアプリが起動される（Ｓ３０１）。なじみの地域が入力されると（Ｓ３０２でＹＥＳ）、ＧＰＳ情報受信部１６がＧＰＳ情報を受信する（Ｓ３０３ａ）。位置検出部１８１が該ＧＰＳ情報に基づいてスマートフォン１の現在位置を検出し、地域設定部１８２が該現在位置を含む地域を視聴地域として設定する（Ｓ３０３ｂ）。そして、処理はＳ３０４に進む。なお、以降の処理は図３と同じであるため、その説明は省略する。
【０１１６】
この変形例によれば、スマートフォン１の検出位置に基づいて視聴地域が設定される。そのため、ユーザが視聴地域を手動で入力する必要がない。従って、より簡便に、なじみの地域の編集された番組表情報を含む関連放送情報を生成することができる。
【０１１７】
以上、本発明の実施形態について説明した。なお、上述の実施形態は例示であり、その各構成要素や各処理の組み合わせに色々な変形が可能であり、本発明の範囲にあることは当業者に理解されるところである。
【０１１８】
たとえば、上述の第１〜第３実施形態及びそれらの変形例において、ＣＰＵ１８の各機能的要素のうちの少なくとも一部は、物理的な構成要素（たとえば電気回路、素子、装置など）で実現されていてもよい。
【０１１９】
また、上述の第１〜第３実施形態及びそれらの変形例では、番組表情報の番組表示欄の表示（背景色、枠表示など）を、放送番組と各地域の放送条件との関連付けの種別に応じて変化させているが、本発明はこの例に限定されない。番組表示欄の表示（背景色、枠表示など）は、放送番組の種別（ジャンルなど）に応じて変化させてもよい。
【０１２０】
また、上述の第１〜第３実施形態及びそれらの変形例では、リモコンアプリを有する番組選択装置の一例としてスマートフォン１を挙げて説明しているが、本発明はこの例に限定されない。番組選択装置は、リモコンアプリが利用可能な電子機器であればよい。たとえば、液晶テレビジョン２などの表示装置であってもよい。特に、ポータブルＴＶ装置、ＴＶ機能付きナビゲーション装置などに有効である。或いは、携帯電話機、パーソナルコンピュータなどの情報処理装置であってもよい。
【符号の説明】
【０１２１】
１  スマートフォン
１１  タッチパネル
１１ａ  ＬＣＤ
１１ｂ  入力検知部
１２  ネットワークＩ／Ｆ
１３  スピーカ
１４  タイマ
１５  無線通信部
１６  ＧＰＳ情報受信部
１７  記憶部
１７ａ  ＲＡＭ
１７ｂ  フラッシュメモリ
１８  ＣＰＵ
１８１  位置検出部
１８２  地域設定部
１８３  情報取得部
１８４  情報生成部
１８５  日時検出部
１８６  表示制御部
２  液晶テレビジョン
２１  放送受信部
２２  信号処理部
２３  ＯＳＤ処理部
２４  表示部
２５  ＨＤＭＩ通信部
２６  ネットワークＩ／Ｆ
２７  スピーカ
２８  操作入力部
２９  リモコン受信部
３０  無線通信部
３１  記憶部
３１ａ  ＲＡＭ
３１ｂ  フラッシュメモリ
３２  ＣＰＵ
ＮＴ  ネットワークＮＴ
【図１】
2015192369.tif 000003
【図２】
2015192369.tif 000004
【図３】
2015192369.tif 000005
【図４】
2015192369.tif 000006
【図５】
2015192369.tif 000007
【図６】
2015192369.tif 000008
【図７】
2015192369.tif 000009
【図８】
2015192369.tif 000010
【図９】
2015192369.tif 000011
【図１０】
2015192369.tif 000012
【図１１】
2015192369.tif 000013
【図１２】
2015192369.tif 000014
【図１３】
2015192369.tif 000015
【図１４】
2015192369.tif 000016